(57)【要約】【課題】  イ草織物におけるイ草と交差する方向に延びる端縁部を補強する。【解決手段】  本発明のイ草製品としての茣蓙１は、イ草織物２におけるイ草３と直交する方向に延びる端縁部の裏面に、該端縁部と平行に延びる薄型シート１０を接着材で貼り合わせてなっている。薄型シート１０は、イ草織物２よりも柔軟性を備えるとともに、イ草織物２の厚さの５０％以下の厚さに形成されている。さらに、茣蓙１は、イ草織物２におけるイ草３と平行に延びる端縁部の裏面にも、該端縁部と平行に延びる薄型シート１０を接着材で貼り合わせてなっている。【選択図】      図２
2018149083.tif 000002
【特許請求の範囲】
【請求項１】
イ草織物におけるイ草と交差する方向に延びる端縁部の少なくとも一面に、該端縁部と略平行に延びる薄型シートを接着材で貼り合わせてなり、
前記薄型シートは、前記イ草織物よりも柔軟性を備えるとともに、前記イ草織物の厚さの５０％以下の厚さに形成されているイ草製品。
【請求項２】
前記イ草織物におけるイ草と平行に延びる端縁部の少なくとも一面に、該端縁部と略平行に延びる前記薄型シートを接着材で貼り合わせてなる請求項１記載のイ草製品。
【請求項３】
前記薄型シートは、その貼り合わせ対象である前記端縁部と略平行に延びる、少なくとも一方の側端縁の形状が非直線的に形成されている請求項１又は２記載のイ草製品。
【発明の詳細な説明】
【技術分野】
【０００１】
本発明は、イ草織物を使用した敷物（茣蓙、ラグ、マット等）、クッション、座布団、枕、それらのカバー、袋物（バッグ、財布等）等のイ草製品に関するものである。
【背景技術】
【０００２】
従来の第一のイ草製品としては、室内用茣蓙を例示する。この種の茣蓙としては、イ草の茎或いは合成樹脂製のストローを材料とし、そのような同種の材料を編み上げてなり、表裏とも同質で平滑であるもの（特許文献１における従来例参照。）がある。
【０００３】
また、従来の第二のイ草製品としては、前記第一のイ草製品を茣蓙本体としてその一面に、適宜の弾性及び摩擦性を備えた材料よりなるシート材を貼り合わせてなる室内用茣蓙（特許文献１における考案参照。）を例示する。茣蓙本体のみでは、板の間やプラスチック床等、その敷く場所によっては滑りやすく、人が転倒する恐れがあるため、それを防止すべくシート材を設けているのである。これと同様に、イ草製の表材の裏面に滑り止めシート材を貼り合わせた例として、イ草製の茣蓙をプレス加工してなる敷物の裏面に下敷きシートを配設したものもある（特許文献２参照。）。また、イ草製の表材と滑り止めシートの間に、クッション材を介装することにより、クッション性を備えさせたものもある。
【０００４】
さらに、従来の第三のイ草製品としては、イ草を使用した座布団を例示する（特許文献３参照。）。この座布団は、座布団の構成部となる二枚の生地（イ草で織成されたもの）の間に、クッション部材が内包されており、前記生地と前記クッション部材は縁布を設けて端縁部で一体に縫着されている。
【先行技術文献】
【特許文献】
【０００５】
【特許文献１】実開昭５４−１０６０１８号公報
【特許文献２】特開平９−６０２６０号公報
【特許文献３】特開平１０−２４３８４２号公報
【発明の概要】
【発明が解決しようとする課題】
【０００６】
ところが、従来の第一のイ草製品を床に敷いて使用していると、その端縁部に使用者の足が引っ掛かってしまい、それにより端縁部が捲れることがある。そして、それが繰り返されると、端縁部の近くにそれと平行に折れ癖がついてしまい、そこが損傷するという課題がある。特に、イ草と直角な端縁部においては、端縁部の近く（特に、図６に矢印Ｂで示す縁４の縫い目のところ。）でイ草が折れ曲がって端縁部と平行な折れ目ができ、それが繰り返されると、該折れ目のところでイ草が切れてしまい、そこから茣蓙が解れてしまうという課題がある。
【０００７】
また、従来の第二のイ草製品は、イ草製の表材の裏面に滑り止めシート材が張り合わされているため、第一のイ草製品に比べるとまだ耐久性が良いが、やはり第一のイ草製品と同様の課題は存在している。特に、イ草製の表材と滑り止めシートの間に、クッション材を介装している場合は、クッション材における端縁部が潰れ易い。そのために、イ草製の素材の端縁部が湾曲してしまい、その部分が損傷し易くなるという課題がある。
【０００８】
さらに、従来の第三のイ草製品としての座布団を使用していると、端縁部が折れ曲がることが多く、それが繰り返されると、従来の第一のイ草製品と同様に、端縁部の近くにそれと平行に折れ癖がついてしまい、そこが損傷するという課題がある。このようなイ草織物を使用した座布団に加え、クッション、枕、及びそれらのカバーについても、同様な課題がある。
【課題を解決するための手段】
【０００９】
前記課題を解決するために、本発明のイ草製品は、
イ草織物におけるイ草と交差する方向に延びる端縁部の少なくとも一面に、該端縁部と略平行に延びる薄型シートを接着材で貼り合わせてなり、
前記薄型シートは、前記イ草織物よりも柔軟性を備えるとともに、前記イ草織物の厚さの５０％以下の厚さに形成されている。
【００１０】
前記イ草と交差する方向とは、前記イ草の茎長方向と交差する方向であれば特に限定されず、直交する方向だけでなく、斜めに交差する方向であってもよい。
【００１１】
前記端縁部に前記薄型シートを設ける理由は、本願出願人の経験上、イ草製品は前記端縁部の付近が損傷することが多いからであり、その損傷し易い部分を補強するためである。
【００１２】
前記薄型シートに前記のように柔軟性を備えさせる理由は、もし柔軟性がないと、前記イ草織物における前記薄型シートが設けられている部分とそれ以外の部分の境界で、柔軟性が大きく変化してしまう。そのため、そのような柔軟性がない薄型シートを設けると、却って前記境界が折れ曲がって、損傷し易くなってしまうからである。このように、前記薄型シートは、補強のための所要強度を有する限りにおいて、極力柔軟性が高い方が好ましい。
【００１３】
前記薄型シートの厚さを前記のように薄くする理由は、もしその厚さが厚いと、前記イ草織物における前記薄型シートが設けられている部分とそれ以外の部分の境界に大きい段差ができてしまう。そのため、そのような厚さが厚い薄型シートを設けると、却って前記境界が折れ曲がって、損傷し易くなってしまうからである。このように、前記薄型シートの厚さは、補強のための所要強度を有する限りにおいて、極力薄い方がよく、特に限定されないが、好ましくは２５％以下にすることを、さらに好ましくは１５％以下にすることを、例示する。
【００１４】
前記薄型シートの幅は、特に限定されないが、前記イ草織物の端縁部近辺（特に、前記イ草織物の端縁部に加工される縫い目のところ）が破損し易いことから、その範囲をカバーすることが可能なサイズに形成することが好ましい。具体的には次の態様を例示する。
（１）敷物のように大型のイ草製品の場合に、幅約１００ｍｍに形成し、前記イ草織物の端縁部の端から内側へ約１００ｍｍの範囲をカバーするようにする態様。
（２）座布団のように小型のイ草製品の場合に、幅約５０ｍｍに形成し、前記イ草織物の端縁部の端から内側へ約５０ｍｍの範囲をカバーするようにする態様。
（３）前記（１）又は（２）に示す範囲内に設けられた縫い目又は縫い目群の部分のみをカバーするサイズに形成する態様。このとき、該部分の両側にマージン（特に、縫い目又は縫い目群よりも内方に約３０ｍｍ以上のマージン）を持たせるように広めのサイズに形成することが好ましい。
【００１５】
前記薄型シートの材質としては、特に限定されないが、不織布、織布、樹脂製シート、樹脂製フィルム、紙等を例示する。前記不織布の素材としては、特に限定されないが、ポリエステル、ポリプロピレン、ナイロン等を例示する。前記織布の素材としては、特に限定されないが、綿、麻等の植物繊維や、化学繊維・合成繊維を例示する。樹脂製シートとしては、発泡樹脂製シートでもよい。
【００１６】
前記接着材としては、特に限定されないが、硬化した状態で柔軟性を備えるものが好ましく、ラテックスボンド、ホットメルトボンド等を例示する。
【００１７】
前記少なくとも一面に貼り合わせるとは、前記イ草織物の表面又は裏面に貼り合わせることに加え、表面及び裏面に貼り合わせることを含むことを意味する。
【００１８】
この構成によれば、前記端縁部に沿って前記薄型シートが設けられているので、仮に前記端縁部の近くが折れ曲がっても、損傷し難いし、仮にそこでイ草が切れたとしても、そこから前記イ草織物が解れることを防止することができる。また、前記薄型シートは、前記イ草織物における前記端縁部に設けられているため、それが設けられていない部分の通気性を確保することができる。さらに、前記イ草織物における損傷し易い端縁部の付近のみを補強するようにしているので、低コストかつ効果的に補強することができる。
【００１９】
前記イ草製品としては、
前記イ草織物におけるイ草と平行に延びる端縁部の少なくとも一面に、該端縁部と略平行に延びる前記薄型シートを接着材で貼り合わせてなる態様を例示する。
【００２０】
この構成によれば、前記イ草織物におけるイ草と平行に延びる端縁部についても、前記交差する方向に延びる端縁部と同様な効果を得ることができる。
【００２１】
前記イ草製品としては、
前記薄型シートは、その貼り合わせ対象である前記端縁部と略平行に延びる、少なくとも一方の側端縁の形状が非直線的に形成されている態様を例示する。
【００２２】
この構成によれば、前記イ草織物における前記薄型シートが設けられている部分とそれ以外の部分の境界が非直線的な形状になり、仮にその境界に生じる段差や強度差によってそこに損傷が生じたとしても、非直線的な形状であるためにそこで折れ曲がりにくく、損傷が重大化したり、拡張したりし難い。
【発明の効果】
【００２３】
本発明に係るイ草製品によれば、イ草織物におけるイ草と交差する方向に延びる端縁部を補強することができるという優れた効果を奏する。
【図面の簡単な説明】
【００２４】
【図１】本発明を具体化した一実施形態に係るイ草製品としての茣蓙を示す図であり、（ａ）は平面図、（ｂ）は（ａ）のｂ−ｂ拡大断面図である。
【図２】同茣蓙の変更例を示す図であり、（ａ）は平面図、（ｂ）は（ａ）のｂ−ｂ拡大断面図である。
【図３】同茣蓙の別の変更例を示す拡大断面図である。
【図４】同茣蓙に使用する薄型シートの形状の変更例を示す平面図である。
【図５】本発明を具体化した一実施形態に係るイ草製品としての座布団を示す図であり、（ａ）は平面図、（ｂ）は（ａ）のｂ−ｂ拡大断面図、（ｃ）は（ａ）のｃ−ｃ拡大断面図である。
【図６】従来の茣蓙の端縁部が破れた例を示す写真である。
【発明を実施するための形態】
【００２５】
図１〜図５は本発明を具体化した一実施形態のイ草製品を示している。
【００２６】
図１は、本発明のイ草製品としての茣蓙１を示している。本例の茣蓙１は、イ草織物２におけるイ草３と交差する方向（本例では直交する方向）に延びる端縁部の裏面に、該端縁部と平行に延びる薄型シート１０を接着材で貼り合わせてなっている。薄型シート１０が設けられたイ草織物２の周縁には、縁４が設けられている。本例の茣蓙１は、イ草織物２のサイズが横約１８０ｍｍ、縦約９０ｍｍ、厚さ約２．５ｍｍに形成され、縁４の幅が約３５ｍｍに形成されている。なお、各図において、Ｌはイ草３の長さ方向を示している。
【００２７】
薄型シート１０は、イ草織物２よりも柔軟性を備えるとともに、イ草織物２の厚さの５０％以下の厚さに形成されている。また、薄型シート１０の幅は、１００ｍｍに形成されており、イ草織物２の端縁部に取り付けられている縁４の幅よりも３０ｍｍ以上広く形成されている。本例の薄型シート１０としては、特に限定されないが、次のものを例示する。
（１）ポリエステル１００％であり、厚さ０．３ｍｍ、密度２０ｇ／ｍ3に形成されている不織布。
（２）ポリエステル１００％であり、厚さ１．０ｍｍ、密度１５０ｇ／ｍ3に形成されている不織布。
（３）綿１００％（４０番手）であり、厚さ０．５ｍｍ、１２０〜１５０本／２５．４ｍｍに形成されている織布。
【００２８】
本例の接着材としては、ラテックスボンドを用いている。
【００２９】
図２は、図１に示す茣蓙１の変更例を示しており、前記イ草織物２におけるイ草３と平行に延びる端縁部の裏面にも、該端縁部と平行に延びる前記薄型シート１０を接着材で貼り合わせている。
【００３０】
図３は、茣蓙１の別の変更例を示している。同図（ａ）は、縁４の内方に二重縁５を備える茣蓙１におけるイ草織物の裏面に薄型シート１０を設けた態様である。同図（ｂ）は、同二重縁５を備える茣蓙１におけるイ草織物２の表面に薄型シート１０を設けた態様である。同図（ｃ）は、同二重縁５を備える茣蓙１におけるイ草織物２の表面及び裏面に薄型シート１０を設けた態様である。これらの同図（ａ）〜（ｃ）は、薄型シート１０の幅（例えば１００ｍｍ）を超えて二重縁５が設けられている例を示している。同図（ｄ）は、裏面に滑り止めシート材６が接着材７で張り合わされている茣蓙１におけるイ草織物２の裏面に薄型シート１０を設けた態様である。同図（ｅ）は、茣蓙１におけるイ草織物２の裏面に、端縁部の端部から間隔をおいて薄型シート１０を設けた態様である。
【００３１】
図４は、本発明の薄型シート１０の形状の変更例を示している。同図（ａ）の薄型シート１０は、その貼り合わせ対象である前記端縁部と略平行に延びる、一方の側端縁の形状が非直線的に形成（具体的には曲線的なジグザグ形状に形成）されている態様となっている。同図（ｂ）の薄型シート１０は、その貼り合わせ対象である前記端縁部と略平行に延びる、両方の側端縁の形状が非直線的に形成（具体的には曲線的なジグザグ形状に形成）されている態様となっている。同図（ａ）の薄型シート１０をイ草織物２に貼り合わせるときは、非直線的な形状がイ草織物２の中央側に向くようにすることが好ましいが、外側に向くようにしてもよい。なお、図４に示す薄型シート１０の側端縁の形状は規則的な繰り返し形状であるが、これに限定されず、非規則的な形状にしてもよい。
【００３２】
図５は、本発明のイ草製品としての座布団２０を示している。本例の座布団２０は、表裏２枚のイ草織物２の間に、クッション材２１を詰め込んでなっている。各イ草織物２における周端縁部の裏面に、該周端縁部と平行に延びる薄型シート１０を接着材で貼り合わせてなっている。本例の薄型シート１０は、イ草織物２における四辺に設けるものが一体的に形成されることにより、平面視でロ字状に形成されている。
【００３３】
以上のように、本発明のイ草製品（１、２０）は、イ草織物２におけるイ草３と直交する方向に延びる端縁部の裏面に、該端縁部と平行に延びる薄型シート１０が設けられているので、仮に前記端縁部の近くが折れ曲がっても、損傷し難いし、仮にそこでイ草３が切れたとしても、そこから前記イ草織物２が解れることを防止することができる。また、前記薄型シート１０は、前記イ草織物２における前記端縁部に設けられているため、それが設けられていない部分の通気性を確保することができる。さらに、イ草織物２における損傷し易い端縁部の付近のみを補強するようにしているので、低コストかつ効果的に補強することができる。
【００３４】
また、図２に示す態様の茣蓙１や図５に示す態様の座布団２０は、前記イ草織物２におけるイ草３と平行に延びる端縁部の少なくとも一面に、該端縁部と平行に延びる前記薄型シート１０を設けているので、該平行に延びる端縁部についても、前記直交する方向に延びる端縁部と同様な効果を得ることができる。
【００３５】
さらに、図４に示す薄型シート１０は、その貼り合わせ対象である前記端縁部と略平行に延びる、少なくとも一方の側端縁の形状が非直線的に形成されているので、イ草織物２における薄型シート１０が設けられている部分とそれ以外の部分の境界が非直線的な形状になり、仮にその境界に生じる段差や強度差によってそこに損傷が生じたとしても、非直線的な形状であるためにそこで折れ曲がりにくく、損傷が重大化したり、拡張したりし難い。
【実施例】
【００３６】
本発明のイ草製品の性能を確認するために、薄型シートを設けたイ草織物の引っ張り強度性能を測定し、比較例としての従来のイ草織物の性能と比較した。
【００３７】
（試験品）
イ草織物は本発明に係る試験品及び比較例ともに、幅５０ｍｍ、長さ３００ｍｍ（イ草の方向の長さ）、厚さ約２．５ｍｍであって、縁を設けていないものを用いた。本発明に係る試験品１及び２には、薄型シート（後述）を、イ草織物の一面全体に接着材（ラテックスボンド）で貼り合わせた。試験品１の薄型シートは、不織布（ポリエステル１００％、厚さ０．３ｍｍ、密度２０ｇ／ｍ2）からなる。試験品２の薄型シートは、織布（綿１００％（４０番手）、厚さ０．５ｍｍ、１２０〜１５０本／２５．４ｍｍ）からなる。
【００３８】
（試験方法）
イ草と直交する方向に延びる折り目ができるように、イ草織物の長さ方向の中央を、二つ折りにした後、元通りに開く。これを５回繰り返すことにより、イ草織物にダメージを与えた状態にしておく。その状態のイ草織物の長さ方向における中央２００ｍｍの部分に対し、ＪＩＳ−Ｌ−１０９６  ストリップ法（インストロン）に基づいて、イ草織物のイ草の方向の引張り強さを測定した。
【００３９】
（試験結果）
各試験結果は、３個について試験した測定値の平均である。
┌───────┬───────┬────────┐
│    試験品    │  強度（Ｎ）  │  伸び率（％）  │
├───────┼───────┼────────┤
│    試験品１  │    ６９０    │      １．８    │
├───────┼───────┼────────┤
│    試験品２  │  １９５０    │      ２．６９  │
├───────┼───────┼────────┤
│    比較例    │    ５５９    │      １．５    │
└───────┴───────┴────────┘
【００４０】
（評価）
比較例に比べ、本発明に係る試験品１の強度が２３．４％向上し、同試験品２の強度が３４８．８％向上していることが確認できた。
【００４１】
なお、本発明は前記実施形態に限定されるものではなく、例えば以下のように、発明の趣旨から逸脱しない範囲で適宜変更して具体化することもできる。
（１）薄型シート１０として、ポリエステル以外の素材（例えば、ポリプロピレン、ナイロン等）からなる不織布を用いること。
（２）薄型シート１０として、綿以外の素材からなる織布を用いること。
（３）茣蓙１等の敷物における所定範囲の縁４の幅に対して、所定幅の薄型シート１０を用いること。具体的には、幅が約１０〜７０ｍｍの縁４に対して、幅が１００ｍｍの薄型シート１０を用いることを例示する。
（４）座布団２０、クッション等の小物における所定範囲の所定範囲の縁４の幅に対して、所定幅の薄型シート１０を用いること。具体的には、幅が約１０〜２０ｍｍの縁４に対して、幅が５０ｍｍの薄型シート１０を用いることを例示する。
（５）座布団２０において、イ草織物２におけるイ草３と直交する方向に延びる端縁部の裏面のみに、薄型シート１０を設けるようにしたり、ロ字状の薄型シート１０に代えて４枚の帯状の薄型シート１０をイ草織物２の四辺にそれぞれ設けるようにしたりすること。
（６）座布団２０において、裏面側におけるイ草織物２及び薄型シート１０に代えて、イ草織物２以外の素材（織布、皮革、合成皮革等）を用いること。
（７）茣蓙及び座布団以外の、イ草織物を使用したイ草製品に対し、本発明を適用すること。
（８）前記実施形態に示したイ草製品は、イ草織物２におけるイ草３の向きが矢印Ｌの方向にすべて揃っている例であるが、これに限定されず、イ草３の向きがすべて揃っていないイ草織物２（例えば、イ草３が交差するように組み合わされているイ草織物２）における端縁部に対して、本発明を適用してもよい。
【符号の説明】
【００４２】
１  茣蓙
２  イ草織物
３  イ草
４  縁
５  二重縁
６  滑り止めシート材
７  接着材
１０  薄型シート
２０  座布団
２１  クッション材
Ｌ  イ草の長さ方向
【図１】
2018149083.tif 000003
【図２】
2018149083.tif 000004
【図３】
2018149083.tif 000005
【図４】
2018149083.tif 000006
【図５】
2018149083.tif 000007
【図６】
2018149083.tif 000008